(57)【特許請求の範囲】
【請求項１】
回転操作するつまみを回転不能に保持するためのつまみの回り止め機構において、
つまみの枢軸を溝部の底面から挿通して溝内に突出させ、該枢軸につまみ部材を装着して成り、
前記枢軸の外周の両側に嵌合孔を穿設し、該枢軸を弾撥的に挾持して起倒可能なよう前記つまみ部材の各係合ピン端を該嵌合孔に嵌合させ、該つまみ部材を、倒れたとき前記溝部内では回転不能な高さで、起立させたときは回転可能な巾に設定し、
つまみ部材を起立させて回転操作し、溝部内に倒して回り止めするようにしたことを特徴とするつまみの回り止め機構。
【請求項２】
回転操作するつまみを回転不能に保持するためのつまみの回り止め機構において、
つまみの枢軸を溝部の底面から挿通して溝内に突出させ、該枢軸につまみ部材を装着して成り、
前記枢軸に輪溝を設け該輪溝の底の外周の両側に嵌合孔を穿設し、該枢軸を弾撥的に挾持して起倒可能なよう前記つまみ部材の各係合ピン端を該嵌合孔に嵌合させ、該つまみ部材を、倒れたとき前記輪溝に該係合ピン端を設けた基部が落ち込むとともに前記溝部内では回転不能な高さで、起立させたときは回転可能な巾に設定し、
つまみ部材を起立させて回転操作し、溝部内に倒して回り止めするようにしたことを特徴とするつまみの回り止め機構。
【請求項３】
回転操作するつまみを回転不能に保持するためのつまみの回り止め機構において、
つまみの枢軸を溝部の底面から挿通して溝内に突出させ、該枢軸につまみ部材を装着して成り、
前記枢軸の外周の両側に嵌合孔を位置をずらせて穿設し、前記つまみ部材の各係合ピン端を該嵌合孔に嵌合させ、つまみ部材が倒れ位置に付勢されるよう前記嵌合孔と係合ピン端との位置関係を設定するとともに、倒れたとき前記溝部内では回転不能な高さで、起立させたときは回転可能な巾に設定し、
つまみ部材を起立させて回転操作し、溝部内に倒して回り止めするようにしたことを特徴とするつまみの回り止め機構。
【発明の詳細な説明】
【０００１】
【産業上の利用分野】
本発明は、回転操作するつまみを回転不能に保持するためのつまみの回り止め機構に関する。
【０００２】
【従来の技術】
従来の技術としては、例えば図５に示すようなものがある。
すなわち、支持部材１の軸保持部２から突出した枢軸３の先端につまみ５が固設されており、軸保持部２の外周に切られたねじ部３ａにナット４が螺合した構造で、ナット４を閉め込んで軸保持部２にかたく押し当っているときは枢軸３が回動不能で、ナット４がゆるんでいるときはつまみ５をもって枢軸３を回動することができるものである。
【０００３】
【発明が解決しようとする課題】
しかしながら、このような従来の技術では、いちいちナット４をゆるめたり締めたりしなければならないので、操作が煩雑で作業性が悪く、工具も要するので操作時の能率が悪いという問題点があった。
【０００４】
本発明は、このような従来の技術が有する問題点に着目してなされたもので、工具を用いる特別な操作を要することなく、つまみを操作するときに回り止め操作も行なうことができるようにして操作能率を高くすることができるつまみの回り止め機構を提供することを目的としている。
【０００５】
【課題を解決するための手段】
かかる目的を達成するための本発明の要旨とするところは、次の各項の発明に存する。
［１］  回転操作するつまみを回転不能に保持するためのつまみの回り止め機構において、
つまみの枢軸（２０）を溝部（１０）の底面（１１）から挿通して溝内に突出させ、該枢軸（２０）につまみ部材（３０）を装着して成り、
前記枢軸（２０）の外周の両側に嵌合孔（２１，２１）を穿設し、該枢軸（２０）を弾撥的に挾持して起倒可能なよう前記つまみ部材（３０）の各係合ピン端（３２，３２）を該嵌合孔（２１，２１）に嵌合させ、該つまみ部材（３０）を、倒れたとき前記溝部（１０）内では回転不能な高さで、起立させたときは回転可能な巾に設定し、
つまみ部材（３０）を起立させて回転操作し、溝部（１０）内に倒して回り止めするようにしたことを特徴とするつまみの回り止め機構。
【０００６】
［２］  回転操作するつまみを回転不能に保持するためのつまみの回り止め機構において、
つまみの枢軸（２０ａ）を溝部（１０）の底面（１１）から挿通して溝内に突出させ、該枢軸（２０ａ）につまみ部材（３０ａ）を装着して成り、
前記枢軸（２０ａ）に輪溝（２５）を設け該輪溝（２５）の底の外周の両側に嵌合孔（２１ａ，２１ａ）を穿設し、該枢軸（２０ａ）を弾撥的に挾持して起倒可能なよう前記つまみ部材（３０ａ）の各係合ピン端（３２ａ，３２ａ）を該嵌合孔（２１ａ，２１ａ）に嵌合させ、該つまみ部材（３０ａ）を、倒れたとき前記輪溝（２５）に該係合ピン端（３２ａ，３２ａ）を設けた基部が落ち込むとともに前記溝部（１０）内では回転不能な高さで、起立させたときは回転可能な巾に設定し、
つまみ部材（３０）を起立させて回転操作し、溝部（１０）内に倒して回り止めするようにしたことを特徴とするつまみの回り止め機構。
【０００７】
［３］  回転操作するつまみを回転不能に保持するためのつまみの回り止め機構において、
つまみの枢軸（２０ｂ）を溝部（１０）の底面（１１）から挿通して溝内に突出させ、該枢軸（２０ｂ）につまみ部材（３０ｂ）を装着して成り、
前記枢軸（２０ｂ）の外周の両側に嵌合孔（２２，２３）を位置をずらせて穿設し、前記つまみ部材（３０ｂ）の各係合ピン端（３３，３４）を該嵌合孔（２２，２３）に嵌合させ、つまみ部材（３０ｂ）が倒れ位置に付勢されるよう前記嵌合孔（２２，２３）と係合ピン端（３３，３４）との位置関係を設定するとともに、倒れたとき前記溝部（１０）内では回転不能な高さで、起立させたときは回転可能な巾に設定し、
つまみ部材（３０）を起立させて回転操作し、溝部（１０）内に倒して回り止めするようにしたことを特徴とするつまみの回り止め機構。
【０００８】
【作用】
回り止め機構は、回転操作するつまみを、必要に応じて回転可能にし、また回転不能に保持するものである。つまみの枢軸（２０）は溝部（１０）の底面（１１）から挿通して溝内に突出しており、その先のつまみ部材（３０）は操作しないときは倒されている。倒れているとき回転しようとしても、溝部（１０）の溝壁１２に引っ掛かって溝内では回転不能で、回り止めされている。
【０００９】
係合ピン端（３２，３２）が枢軸（２０）の外周の両側に嵌合孔（２１，２１）に嵌合して枢軸（２０）を枢軸（２０）を弾撥的に挾持しており、この挾持する弾撥力によりつまみ部材（３０）の倒伏状態が保たれる。
【００１０】
回転操作する必要が生じたときは、つまみ部材（３０）を持って起立させる。起立するとつまみ部材（３０）が溝の内面に引っ掛からなくなり、そのままつまみ部材（３０）を持って回転させれば回転操作をすることができる。
【００１１】
回転操作が終了したらつまみ部材（３０）を倒しておく、それにより前記のようにつまみ部材（３０）が溝部（１０）の溝壁（１２）に引っ掛かって溝内では回転不能に回り止めされる。
【００１２】
つまみの枢軸（２０ａ）に輪溝（２５）を設けたものでは、つまみ部材（３０ａ）を倒したとき輪溝（２５）に係合ピン端（３２ａ，３２ａ）を設けた基部が落ち込むので、回り止めする倒伏状態が確実に保たれる。操作のためつまみ部材（３０ａ）を起立させようとすると、係合ピン端（３２ａ，３２ａ）を設けた基部が輪溝（２５）の縁をこじるようにして少し開き、起立させることができる。
【００１３】
つまみの枢軸（２０ｂ）の外周の両側に嵌合孔（２２，２３）を位置をずらせて穿設し、つまみ部材（３０ｂ）の各係合ピン端（３３，３４）を嵌合孔（２２，２３）に嵌合させたものでは、つまみ部材（３０ｂ）が倒れ位置に付勢されているので、操作していないときつまみ部材（３０ｂ）は必ず倒れていて、回り止めされている。操作は付勢力に抗してつまみ部材（３０ｂ）を起立させ、枢軸（２０ｂ）を回転させることによりなされる。
【００１４】
操作を終えてつまみ部材（３０ｂ）を離すと、つまみ部材（３０ｂ）が倒れ位置に付勢されているので、つまみ部材（３０ｂ）は溝部（１０）内に倒れ、前記のように回り止めされている。
【００１５】
【実施例】
以下、図面に基づき本発明の各種実施例を説明する。
図１および図２は本発明の第１実施例を示している。
溝部１０の底面１１から挿通してつまみの枢軸２０が溝内に突出しており、させ、該枢軸２０につまみ部材３０を装着して成り、回り止め機構は、この回転操作するつまみを回転不能に保持するものである。
【００１６】
枢軸２０の外周の両側に対象的に嵌合孔２１，２１が穿設されている。つまみ部材３０は線材をＵ字状に折り曲げて成形され、頭部３１がつまめるようになっていて、基部の線端に係合ピン端３２，３２が形成されている。係合ピン端３２，３２は枢軸２０を弾撥的に挾持して起倒可能なよう枢軸２０の嵌合孔２１，２１に嵌合し、係合ピン端３２，３２の基部間の距離ｓ１は枢軸２０の径より幾分小さくして弾撥力を発生させている。
【００１７】
つまみ部材３０は、倒れたとき溝内では頭部３１が溝部１０の溝壁１２，１２につっかえて回転不能な高さで、起立させたときは回転可能な巾に設定してある。
【００１８】
次に作用を説明する。
回り止め機構は、回転操作するつまみを、必要に応じて回転可能にし、また回転不能に保持するものである。つまみの枢軸２０は溝部１０の底面１１から挿通して溝内に突出しており、その先のつまみ部材３０は操作しないときは倒されている。倒れているとき回転しようとしても、溝部１０の溝壁１２に引っ掛かって溝内では回転不能で、回り止めされている。
【００１９】
係合ピン端３２，３２が枢軸２０の外周の両側に嵌合孔２１，２１に嵌合して枢軸２０を枢軸２０を弾撥的に挾持しており、この挾持する弾撥力により摩擦抵抗が発生し、つまみ部材３０の倒伏状態が保たれる。
【００２０】
回転操作する必要が生じたときは、つまみ部材３０の頭部３１を持って前記弾撥力による摩擦抵抗に抗して起立させる。起立すると回転可能な巾に設定してあるので、つまみ部材３０が溝の内面に引っ掛からなくなり、そのまま頭部３１を持って回転させれば回転操作をすることができる。
【００２１】
回転操作が終了したらつまみ部材３０を倒しておく、それにより、前記のように、挾持する弾撥力による摩擦抵抗によりつまみ部材３０の倒伏状態が保たれるとともに、つまみ部材３０が溝部１０の溝壁１２に引っ掛かって溝内では回転不能に回り止めされる。
【００２２】
図３は本発明の第２実施例を示している。
【００２３】
本実施例では、つまみの枢軸２０ａに輪溝２５を設け、この輪溝２５の底の外周の両側に嵌合孔２１ａ，２１ａを穿設し、枢軸２０ａを弾撥的に挾持して起倒可能なようつまみ部材３０ａの各係合ピン端３２ａ，３２ａを嵌合孔２１ａ，２１ａに嵌合させたものである。つまみ部材３０ａの高さおよび巾と溝部１０との関係は第１実施例と同様である。
【００２４】
そして、つまみ部材３０ａが倒れたとき輪溝２５に係合ピン端３２ａ，３２ａを設けた基部が落ち込んで倒伏状態に保持されるようになっている。
【００２５】
本実施例では、つまみ部材３０ａを倒したとき輪溝２５に係合ピン端３２ａ，３２ａを設けた基部が落ち込むので、回り止めする倒伏状態が確実に保たれる。操作のためつまみ部材３０ａを起立させようとすると、係合ピン端３２ａ，３２ａを設けた基部が輪溝２５の縁をこじるようにして少し開き、起立させることができる。
【００２６】
図４は本発明の第３実施例を示している。
【００２７】
本実施例は、枢軸２０ｂの外周の両側に嵌合孔２２，２３を位置をずらせて穿設し、つまみ部材３０ｂの各係合ピン端３３，３４もこの位置のずれ量ｔ２をもって嵌合孔２２，２３に嵌合させてある。
【００２８】
そして、つまみ部材３０ｂは倒れ位置に付勢されるよう嵌合孔２２，２３と係合ピン端３３，３４との位置関係を設定してあり、ずれ量ｔ２があるので、つまみ部材３０ｂは常に倒れ位置に付勢されている。つまみ部材３０ｂの高さおよび巾と溝部１０との関係は第１実施例と同様である。
【００２９】
第３実施例では、つまみ部材３０ｂが倒れ位置に付勢されているので、操作していないときつまみ部材３０ｂは必ず倒れていて、回り止めされている。操作は付勢力に抗してつまみ部材３０ｂを起立させ、枢軸２０ｂを回転させることに寄りなされる。操作を終えてつまみ部材３０ｂを離すと、つまみ部材３０ｂが倒れ位置に付勢されているので、つまみ部材３０ｂは溝部１０内に倒れ、前記のように回り止めされている。
【００３０】
【発明の効果】
本発明にかかるつまみの回り止め機構によれば、つまみ部材を、倒れたとき溝内では回転不能にし、起立させて回転可能にして操作するようにしたので、つまみ部材の起倒だけで回り止めをすることができ、操作性が向上し、操作能率のよい回り止め機構とすることができる。
【図面の簡単な説明】
【図１】本発明の第１実施例に係るつまみの回り止め機構を一部破断して示した斜視図である。
【図２】本発明の第１実施例に係るつまみの回り止め機構のつまみ部材を示す斜視図である。
【図３】本発明の第２実施例に係るつまみの回り止め機構の要部を示す斜視図である。
【図４】本発明の第３実施例に係るつまみの回り止め機構を示す要部分解斜視図である。
【図５】従来例を示す斜視図である。
【符号の説明】
１０…溝部
１１…底面
１２…溝壁
２０，２０ａ，２０ｂ…枢軸
２１，２２，２３…嵌合孔
３０，３０ａ，３０ｂ…つまみ部材
３１…頭部
３２，３２ａ，３３，３４…係合ピン端
【図１】
0003644693.tif 000002
【図２】
0003644693.tif 000003
【図３】
0003644693.tif 000004
【図４】
0003644693.tif 000005
【図５】
0003644693.tif 000006